(57)【要約】【課題】遺骨を埋葬することなく、手間を省いて容易に遺骨を処理することができるとともに、近隣の住民に嫌悪感を与えることを防止することができ、且つ、遺骨処理後の遺骨の場所を特定することができるようにする。【解決手段】  空間４０を確保する空間確保体１０を、植物１２が植えられた位置の周辺の地面１１に埋設する第一工程と、人又はペットの遺骨を処理する必要がある時に、空間確保体１０を地面１１から除去する第二工程と、固化剤と遺骨粉粒体等を土に混入して乾燥することにより固化した固形土である肥料を、空間確保体１０が地面１１内に占めていた空間４０に収容する第三工程とを有する。【選択図】図３
2008178830.tif 000002
【特許請求の範囲】
【請求項１】
土又は肥料を収容するための空間を確保する空間確保体を、植物が植えられた又は植えられる位置の周辺の地面に埋設する第一工程と、
人又はペットの遺骨を処理する必要がある時に、該空間確保体を、該地面から除去する第二工程と、
該遺骨の粉粒体を含む肥料を、該空間確保体が該地面内に占めていた空間に収容する第三工程と、
を有することを特徴とする遺骨処理方法。
【請求項２】
該遺骨の粉粒体を含む肥料は、固化剤と少なくとも該粉粒体とを土に混入して乾燥することにより固化した固形土であることを特徴とする請求項１に記載の遺骨処理方法。
【請求項３】
該第三工程の後に、該空間を蓋で閉じる第四工程を有することを特徴とする請求項１又は２に記載の遺骨処理方法。
【請求項４】
該植物は樹木であって、該空間確保体は該樹木を囲繞する中空還状体であり、該中空還状体の上面及び底面には、孔が形成されていることを特徴とする請求項１乃至３のいずれか１つに記載の遺骨処理方法。
【請求項５】
該中空還状体は、中空円弧体を複数個連結して構成されたものであることを特徴とする請求項４に記載の遺骨処理方法。
【請求項６】
該中空還状体は、上面開口を有し、該第一工程において該中空還状体を地面に埋設した後に、該上面開口を孔が形成された蓋で覆い、該第四工程で用いる蓋は該第一工程で用いる蓋と同一であることを特徴とする請求項４又は５に記載の遺骨処理方法。
【請求項７】
該上面開口を覆う蓋は、該孔に向かって下方へ傾斜するテーパ状に形成されていることを特徴とする請求項６に記載の遺骨処理方法。
【請求項８】
該第一工程と該第二工程との間においてさらに、該孔から水又は養液を注入することを特徴とする請求項４乃至７のいずれか１つに記載の遺骨処理方法。
【発明の詳細な説明】
【技術分野】
【０００１】
本発明は、人又はペットの遺骨処理方法に関する。
【背景技術】
【０００２】
我が国では、人口の高齢化が一層進んで、現在年間約１００万人の人が亡くなり、ピーク時には約１４０〜１６０万人に達すると予測されている。墓地埋葬法によれば、墓地以外の区域に埋葬してはならないと規定されており、これら人々の遺骨は、殆ど全てが墓地に埋葬されている。
【０００３】
しかし、このまま墓地埋葬法に従って、亡くなった人々の遺骨を全て墓地に埋葬し続けると、墓地不足で益々墓地価格が高騰するとともに、墓地が益々遠隔地に造られるようになる。
【０００４】
従って、墓地に埋葬する以外の方法で遺骨を処理する方法を考える必要性がある。
【０００５】
最近では、埋葬以外の遺骨処理方法として、遺骨を粉にして海や山へ撒くという散骨が認知されつつある。
【０００６】
また、下記特許文献１では、遺骨を、墓石、植木鉢又は肥料に添付して処理する遺骨処理方法を開示している。
【特許文献１】特開平９−３１４１１８
【発明の開示】
【発明が解決しようとする課題】
【０００７】
しかしながら、遺骨を処理する方法として、散骨を選択した場合には、海流や風等によって遺骨が散乱して、近隣の住民に嫌悪感を与え、且つ、遺骨の場所を特定することができなくなる。
【０００８】
また、遺骨を処理する方法として、上記特許文献１記載の、遺骨を肥料として処理する方法を選択した場合にも、肥料を地面１１に埋めない限り、風等よって遺骨が散乱して、近隣の住民に嫌悪感を与え、且つ、遺骨処理後の遺骨の場所を特定することができなくなる。また、この肥料を地面１１に埋設する場合には、土を掘る必要があり、手間を要する。葬礼においては、できるだけ手間を要しないはいようにした方が好ましい。
【０００９】
本発明の目的は、このような問題点に鑑み、遺骨を埋葬することなく、手間を省いて容易に遺骨を処理することができるとともに、近隣の住民に嫌悪感を与えることを防止することができ、且つ、遺骨処理後の遺骨の場所を特定することができる遺骨処理方法を提供することにある。
【課題を解決するための手段】
【００１０】
本発明の第１態様における遺骨処理方法では、
土又は肥料を収容するための空間を確保する空間確保体を、植物が植えられた又は植えられる位置の周辺の地面に埋設する第一工程と、
人又はペットの遺骨を処理する必要がある時に、該空間確保体を、該地面から除去する第二工程と、
該遺骨の粉粒体を含む肥料を、該空間確保体が該地面内に占めていた空間に収容する第三工程と、
を有する。
【００１１】
なお、上記遺骨の粉粒体を含む肥料として、例えばこの粉粒体のみをもって肥料としてもよい。
【００１２】
本発明の第２態様における遺骨処理方法では、
該遺骨の粉粒体を含む肥料は、固化剤と少なくとも該粉粒体とを土に混入して乾燥することにより固化した固形土である。
【００１３】
本発明の第３態様における遺骨処理方法では、第１又は第２態様において、
該第三工程の後に、該空間を蓋で閉じる第四工程を有する。
【００１４】
本発明の第４態様における遺骨処理方法では、第１乃至第３態様のいずれかひとつの態様において、
該植物は樹木であって、該空間確保体は該樹木を囲繞する中空還状体であり、該中空還状体の上面及び底面には、孔が形成されている。
【００１５】
本発明の第５態様における遺骨処理方法では、第４態様において、
該中空還状体は、中空円弧体を複数個連結して構成されたものであることを特徴とする請求項３に記載の遺骨処理方法。
【００１６】
本発明の第６態様における遺骨処理方法では、第４又は第５態様において、
該中空還状体は、上面開口を有し、該第一工程において該中空還状体を地面に埋設した後に、該上面開口を孔が形成された蓋で覆い、該第四工程で用いる蓋は該第一工程で用いる蓋と同一である。
【００１７】
本発明の第７態様における遺骨処理方法では、第６態様において、
該上面開口を覆う蓋は、該孔に向かって下方へ傾斜するテーパ状に形成されていることを特徴とする請求項６に記載の遺骨処理方法。
【００１８】
本発明の第８態様における遺骨処理方法では、第４乃至７のいずれか１つの態様において、
該第一工程と該第二工程との間においてさらに、該孔から水又は養液を注入する。
【発明の効果】
【００１９】
上記第１態様の方法によれば、空間確保体が占めていた地面の空間に、遺骨粉粒体を含んだ肥料を収容するので、埋葬することなく、該肥料が散乱するのを防ぎ、もって近隣住民に嫌悪感を与えるのを防止することができ、且つ、遺骨処理後の遺骨の場所を特定することができるという効果を奏する。また、空間確保体を除去すると、遺骨粉粒体を含む肥料を収容する空間が即座に地面に出来上がるので、該地面を掘る手間を省くことができ、葬礼に適するという効果を奏する。
【００２０】
上記第２態様の方法によれば、空間確保体が占めていた地面の空間に収容する肥料として、固化剤と該粉粒体等とを土に混入して乾燥することにより固化した固形土を用いるので、該収容に必要な手間を省くことができ、葬礼に適するという効果を奏する。
【００２１】
上記第３態様の方法によれば、遺骨粉粒体を含む肥料を収容した空間を蓋で閉じるので、該肥料が例え粉粒体であっても、該粉粒体が散乱するのを更に防ぐことができるという効果を奏する。
【００２２】
上記第６態様の方法によれば、空間確保体の蓋と、遺骨粉粒体を含む肥料を収容した空間を覆う蓋が同一なので、該空間確保体を除去して該遺骨粉粒体を含む肥料を空間に入れる前後の地面の外観を同じ状態に保つことができ、近隣住民に嫌悪感を与えること更に防ぐことができるという効果を奏する。
【００２３】
上記第７態様の方法によれば、地面に埋める蓋の形状を、この蓋にある孔に向かって下方へ傾斜するテーパ形状とすることで、地面表面の雨水等を該孔から空間確保体の中空部分へと集水することができるという効果を奏する。この結果、空間確保体の下面にある孔から多くの水を植物の根に供給することができる。
【００２４】
本発明の他の目的、構成及び効果は以下の説明から明らかになる。
【実施例１】
【００２５】
図１（Ａ）は、本発明に係わる空間確保体１０の上面図であり、図１（Ｂ）は、この空間確保体１０の結合側面図である。また、図１（Ｃ）は、この空間確保体１０の分離側面図である。この空間確保体１０は、材質が合成樹脂であって、例えば高さ１０ｃｍ、外径３０ｃｍ、内径２５ｃｍの中空環状である。
【００２６】
図３（Ａ）は、空間確保体１０が地面１１に埋設された状態における地面１１の一部縦断面図である。
【００２７】
空間確保体１０とは、図３（Ａ）に示すように、樹木等の植物１２が植えられた又は植えられる位置の周辺の地面１１にその全部又は一部が埋設されるものであり、後述のように遺骨を処理して土に同化せしめたものを地面１１内に収容する空間を確保するためのものである。
【００２８】
空間確保体１０が地面１１に埋設された場合に、この中心部に植えられている植物１２が枯れないように、空間確保体１０の上面部２０には、孔２１が４つ設けられており、この孔２１から空間確保体１０の中空部へ水や養液を注入し、これらを底面部２２下方に突設された養分供給部２３の複数の供給孔２４から植物１２の根に供給する。
【００２９】
地面１１に埋設された空間確保体１０を除去する場合に、植物１２と干渉することなくこれを容易に行えるように、空間確保体１０には、連結部２５ａ及び２５ｂ並びに２５ｃ及び２５ｄが設けられ、空間確保体１０を半環状に分離可能となっている。
【００３０】
図１（Ｃ）に示すように、一方の連結部２５ａにある突設部２６ａの爪部２７ａが、他方の連結部２５ｂにある凹部２８ｂに係合され、且つ、他方の連結部２５ｂにある突設部２６ｂの爪部２７ｂが、一方の連結部２５ａにある凹部２８ａに係合されて、２つの半環状のものは、図１（Ｂ）に示すように空間確保体１０となる。なお、連結部２５ｃ及び２５ｄにおいても同様に係合される。
【００３１】
図６は、本発明に係わる遺骨処理方法のフローチャートを示した図である。以下、括弧内は当該図中のステップ識別符号である。
【００３２】
（Ｓ１）図３（Ａ）に示すように、上記空間確保体１０を、その表面が略地表面に一致するように地面１１に埋設する。
【００３３】
（Ｓ２）人又はペットの遺骨を処理する必要がある時に、その遺骨を粉砕し、パウダー（粉粒体）して、再度燃やす。
【００３４】
（Ｓ３）そのパウダー（遺骨粉粒体）と、土と、窒素、燐酸又はカリ等を含む養分とを混ぜ合わせることにより、遺骨を土に同化せしめる。ここで、混ぜ合わせる遺骨粉粒体と土の量は、例えば遺骨粉粒体が５ｇで、土が４ｋｇである。
【００３５】
（Ｓ４）型取り用として例えば図２（Ａ）に示すようなプランター３０等に、その遺骨粉粒体を含む土を入れ、且つ、水や固化剤としての寒天等を入れて、それらを混ぜ合わせ、乾燥させる。
【００３６】
（Ｓ５）乾燥後、その土を型取り用のプランター３０から取り出す。図２（Ｂ）は、型取り用プランター３０から取り出した土を示す図である。この土は、寒天によって固形化している。以下、この固形の土をブロック状固形土３１と称す。このブロック状固形土３１の大きさは例えば、縦１０ｃｍ、横４ｃｍ、高さ７ｃｍである。
【００３７】
（Ｓ６）図３（Ａ）に示す、予め地面１１に埋設されている空間確保体１０を手等で引き上げて、連結部２５ａと２５ｂとの結合、及び、連結部２５ｃと２５ｄとの結合をそれぞれ取り外すことにより、地面１１から空間確保体１０を除去する。図３（Ｂ）は、空間確保体１０を取り除いた後における、地面１１の一部縦断面図であり、図３（Ｃ）は、空間確保体１０を取り除いた後における、地面１１の矩形領域外観斜視図である。なお、この空間確保体１０を地面１１に埋設して除去するまでの間において、植物１２が枯れないように、空間確保体１０の孔２１へ水や養分を注入してもよい。
【００３８】
（Ｓ７）図３（Ｂ）に示す、空間確保体１０が占めていた地面１１の溝（空間）４０の全部又は一部に、ブロック状固形土３１を肥料として収容する。図４（Ａ）は、地面１１の溝４０の一部に、ブロック状固形土３１を収容した地面１１の矩形領域外観斜視図である。
【００３９】
（Ｓ８）木の板５０等の蓋で溝４０を閉じる。図４（Ｂ）は、木の板５０で溝４０を閉じた状態における地面１１の矩形領域外観斜視図である。
【００４０】
本実施例１によれば、空間確保体１０を予め地面１１に埋設しておいて、遺骨を処理する必要がある時に、これを地面１１から除去し、地面１１にできた溝（空間）４０に、遺骨粉粒体等を土に同化せしめたブロック状固形土３１を肥料として入れることにより、遺骨が完全に自然に帰するので、遺骨を埋葬することなく、近隣の住民に嫌悪感を与えることを防止することができる。
【００４１】
また、この溝４０に、遺骨粉粒体を土に同化せしめたブロック状固形土３１を入れるので、散骨のように、風等により散乱することを防ぎ、もって近隣の住民に嫌悪感を与えることを防止し、且つ、遺骨の場所を特定することができる。さらに、ブロック状固形土３１を入れる必要がある場合に、空間確保体１０を引き上げれば、即座にブロック状固形土３１を、空間確保体１０が占めていた溝４０に入れることができるので、地面を掘る手間を省くことができ、葬礼において好ましい。
【００４２】
さらに、空間確保体１０が占めていた地面１１の空間４０に収容する肥料として、固化剤と遺骨の粉粒体等とを土に混入して乾燥することにより固化したブロック状固形土３１を用いるので、該粉粒体の肥料を用いるよりも、収容に必要な手間を省くことができ、葬礼において好ましい。
【００４３】
さらにまた、空間確保体１０が中空であることにより、孔２１から入る水等をこの中空部分に蓄えることができるので、水等を一旦孔２１から注入すれば、一定期間それが孔２１ａから植物１１の根に常に供給され、この植物１１が水不足等で枯れることを防止することができるという効果を奏する。
【００４４】
なお、本発明には他にも種々の変形例が含まれる。
【００４５】
例えば、空間確保体１０の大きさ又は形状は上記のものに限定されず、大きさに関しては、空間確保体１０が占める溝４０にブロック状固形土３１を入れるので、ブロック状固形土３１のそれよりも大きいことが望ましい。また、形状に関しては、三角柱状又は四角柱等であってもよい。さらに、材質に関しては、合成樹脂以外に、金属、セラミックス、木材等であってもよい。さらにまた、空間確保体１０は既存の物を使用してもよく、例えば陶器、煉瓦、木等をそのまま空間確保体１０として使用してもよい。
【００４６】
図６（Ａ）〜（Ｃ）は、それぞれ空間確保体１０の変形例１０ａを示した上面図、側面図及び下面図である。図６（Ｄ）は、図６（Ａ）において、ＶＤ−ＶＤ線に沿った縦断面図である。この空間確保体１０ａは、材質が合成樹脂であって、例えば外径１４ｃｍ、内径７０ｃｍ、高さ１３．５ｃｍの中空半環状である。空間確保体１０ａは、中央部へ向かって下方に傾斜するテーパー型の蓋１００と、空間確保体１０ａの本体１０１とからなり、蓋１００には孔２１ａが設けられ、本体１０１の底面部２２ａには植物の根に水や養液を供給する供給孔２４ａを有する養分供給部２３ａが下方に突設されている。上記空間確保体１０ａは、単体で植物１２が植えられている位置の周辺の地面１１に埋設してもよく、２つの空間確保体１０ａをセットにして埋設してもよい。上記蓋１００は、上記工程Ｓ８における木の板５０の代わりに、蓋として用いることが可能である。この場合、空間確保体１０を除去してブロック状固形土３１を空間４０に入れる前後において、地面の外観が変化しないので、近隣住民に嫌悪感を与えること更に防ぐことができるという効果を奏する。また、テーパ型の蓋１００を空間確保体１０の蓋として用いることで、空間確保体１０が地面１１に埋設された時に、雨水をこの空間確保体１０の中空部分へ集水することができるので、多くの水を空間確保体１０の孔２１ａから植物１１の根に供給することができる。
【００４７】
また、空間確保体１０は、２つの半環状のもの（中空円弧体）が連結されて構成される場合を説明したが、更に複数個の中空円弧体が連結されて構成されてもよい。
【００４８】
さらに、植物１２は、実施例１で説明した樹木に限られず、花、草又は人工芝生等の人工植物等であってもよい。
【００４９】
さらにまた、ブロック状固形土３１の大きさや形状は特に限定されず、例えば五角星形や人間の形のようなものであってもよい。
【００５０】
また、工程Ｓ１において、地面１１に空間確保体１０を全部埋設する必要はなく、その一部のみを埋設するようにしてもよい。
【００５１】
さらにまた、工程Ｓ２において、土と混ぜ合わせる遺骨粉粒体以外の養分として、硫黄、カルシウム、マグネシウム、鉄、マンガン、ホウ素、亜鉛、銅、モリブデン又は塩素を含んでいてもよい。
【００５２】
さらに、工程Ｓ３において、土と混ぜ合わせる遺骨粉粒体は、遺骨の全部を混ぜ合わせる必要はなく、その一部のみを混ぜ合わせるようにしてもよい。
【００５３】
さらにまた、工程Ｓ７において、空間確保体が占めていた地面１１の溝（空間）４０に収容するものとして、ブロック状固形土３１を固形のまま溝４０に入れる場合を説明したが（図４（Ａ）参照）、ブロック状固形土３１を木槌等で粉砕したものを溝４０に収容してもよい。また、工程Ｓ２における遺骨粉粒体のみ、又は、工程Ｓ３における遺骨粉粒体を含む肥料をそのまま溝４０に収容してもよい。
【００５４】
また、工程Ｓ８において、ブロック状固形土３１を収容した溝（空間）４０を蓋で閉じる場合を説明したが、蓋で閉じないようにしてもよく、又、その溝４０を土で埋めてもよい。
【図面の簡単な説明】
【００５５】
【図１】（Ａ）は、本発明に係わる空間確保体の上面図であって、（Ｂ）は、この空間確保体の結合側面図であり、（Ｃ）は、空間確保体の分離側面図である。
【図２】（Ａ）は、型取り用プランターの外観を示した図であり、（Ｂ）は、型取り用プランターから取り出した土を示す図である。
【図３】（Ａ）は、空間確保体が地面に埋設されている状態における地面の一部縦断面図であって、（Ｂ）は、空間確保体を取り除いた後における、地面の一部縦断面図であり、（Ｃ）は、空間確保体を取り除いた後における地面の矩形領域外観斜視図である。
【図４】（Ａ）は、地面の溝の一部に、ブロック状固形土を入れた地面の矩形領域外観斜視図であり、（Ｂ）は、木の板で溝を閉じた状態における地面１１の矩形領域外観斜視図である。
【図５】本発明に係わる遺骨処理方法のフローチャートを示した図である。
【図６】（Ａ）は、実施例１の空間確保体の変形例を示した上面図であって、（Ｂ）は、この変形例の側面図であり、（Ｃ）は、この変形例の下面図である。
【符号の説明】
【００５６】
１０、１０ａ  空間確保体
１１  地面
１２  植物
２０  上面部
２１、２１ａ  孔
２２  底面部
２３、２３ａ  養分供給部
２４、２４ａ  供給孔
２５ａ、２５ｂ、２５ｃ、２５ｄ  連結部
２６ａ、２６ｂ  突設部
２７ａ、２７ｂ  爪部
２８ａ、２８ｃ  凹部
３０  プランター
３１  ブロック状固形土
４０  溝（空間）
５０  木の板
１００  テーパー型の蓋
１０１  本体
【図１】
2008178830.tif 000003
【図２】
2008178830.tif 000004
【図３】
2008178830.tif 000005
【図４】
2008178830.tif 000006
【図５】
2008178830.tif 000007
【図６】
2008178830.tif 000008